【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
携帯コンテンツを、ネットワークを通じて、所定のタイミングで広告ページを挿入して携帯端末装置に配信するコンテンツサーバ装置であって、
広告挿入ページを特定する情報である広告表示タイミング情報と、
一つの携帯コンテンツを構成するいくつかのコンテンツファイルのセットと、
広告コンテンツとしてのデータファイルと、
を記憶する記憶手段と、
携帯端末装置が送信したページ特定情報を含むページ要求を受信するページ要求受信手段と、
ページ要求に含まれるページ特定情報と、広告表示タイミング情報を照合して、広告を挿入するタイミングか否かを判定するタイミング判定手段と、
挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成手段と、
挿入タイミングでない場合に、前記ページ要求されたページ特定情報に対応するコンテンツファイルを読み出すコンテンツファイル選択手段と、
広告ページ作成手段が作成した広告ページ、または、コンテンツファイル選択手段が読み出た前記ページ要求されたページ特定情報に対応するコンテンツファイルあるいは、直接ＵＲＬ指定されたコンテンツファイルを携帯端末装置に返信するページ返信手段と、
を備えることを特徴とするサーバ装置。
【請求項２】
前記ページ特定情報には、コンテンツ識別情報が含まれる
ことを特徴とする請求項１に記載のサーバ装置。
【請求項３】
前記記憶手段は、広告識別情報に関連付けられた広告コンテンツと、
広告識別情報を有する広告頻度情報の回答を受け取る広告ログデータと、
を記憶して、
広告ログデータを参照して、広告識別情報の広告頻度情報を算出する広告頻度算出手段と、広告頻度がもっとも少ない広告識別情報を選択して、この広告識別情報に関連付けられた広告コンテンツを選択する広告コンテンツ選択手段と、
広告識別情報を含む広告ログデータを作成して、記憶手段の広告ログデータに追加登録する広告ログ登録手段と、
前記広告ページ作成手段は、ページ要求のページ特定情報を用いて、広告表示タイミング情報が有するページ特定情報を参照して両者が一致すれば、広告コンテンツ選択手段が選択した広告コンテンツを含み前記ページ要求されたページ特定情報に対応するコンテンツファイルのＵＲＬにリダイレクトさせる記述またはコードを含む広告ページを作成する、ことを特徴とする請求項１、または、請求項２に記載のサーバ装置。
【請求項４】
前記コンテンツファイルは、Flash Liteファイルである、
ことを特徴とする請求項１から請求項３までのいずれか１項に記載のサーバ装置。
【請求項５】
広告挿入ページを特定する情報である広告表示タイミング情報と、一つの携帯コンテンツを構成するいくつかのコンテンツファイルと、
広告コンテンツとしてのデータファイルと、
を用いて、
携帯コンテンツを、ネットワークを通じて、所定のタイミングで広告ページを挿入して携帯端末装置に配信する方法であって、
携帯端末装置が送信したページ特定情報を含むページ要求を受信する受信ステップと、
ページ要求に含まれるページ特定情報と、広告表示タイミング情報を照合して、広告を挿入するタイミングか否かを判定するタイミング判定ステップと、
挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成ステップと、
挿入タイミングでない場合に、前記ページ要求されたページ特定情報に対応するコンテンツファイルを読み出すコンテンツファイル選択ステップと、
広告ページ作成手段が作成した広告ページ、または、コンテンツファイル選択ステップで読み出された前記ページ要求されたページ特定情報に対応するコンテンツファイル、あるいは、直接ＵＲＬ指定されたコンテンツファイルを携帯端末装置に返信するページ返信ステップと、
を含んだ手順でなされることを特徴とする携帯コンテンツに広告を挿入表示する方法。
【請求項６】
コンピュータに組込むことによって、コンピュータを請求項１から請求項４のいずれか１項に記載のサーバ装置として動作させるコンピュータプログラム。
【請求項７】
請求項６に記載のコンピュータプログラムを記録したコンピュータ読取り可能な記録媒体。
【手続補正２】
【補正対象書類名】明細書
【補正対象項目名】０００６
【補正方法】変更
【補正の内容】
【０００６】
本発明は、以下の各態様に記載の手段により、前記課題を解決する。
すなわち、本願発明の第１の態様は、携帯コンテンツを、ネットワークを通じて、所定のタイミングで広告ページを挿入して携帯端末装置に配信するコンテンツサーバ装置であって、広告挿入ページを特定する情報である広告表示タイミング情報（３９７ａ）と、一つの携帯コンテンツを構成するいくつかのコンテンツファイル（３９１）のセットと、広告コンテンツとしてのデータファイルと、を記憶する記憶手段と、携帯端末装置が送信したページ特定情報を含むページ要求を受信するページ要求受信手段（３１０）と、ページ要求に含まれるページ特定情報と、広告表示タイミング情報を照合して、広告を挿入するタイミングか否かを判定するタイミング判定手段と、挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成手段（３４０）と、挿入タイミングでない場合に、前記ページ要求されたページ特定情報に対応するコンテンツファイルを読み出すコンテンツファイル選択手段（３４５）と、
広告ページ作成手段が作成した広告ページ、または、コンテンツファイル選択手段が読み出た前記ページ要求されたページ特定情報に対応するコンテンツファイル、あるいは、直接ＵＲＬ指定されたコンテンツファイルを携帯端末装置に返信するページ返信手段（３５０）と、を備えることを特徴とするサーバ装置である。
【手続補正３】
【補正対象書類名】明細書
【補正対象項目名】００１１
【補正方法】変更
【補正の内容】
【００１１】
本願発明の第５の態様は、広告挿入ページを特定する情報である広告表示タイミング情報と、一つの携帯コンテンツを構成するいくつかのコンテンツファイルと、広告コンテンツとしてのデータファイルと、を用いて、携帯コンテンツを、ネットワークを通じて、所定のタイミングで広告ページを挿入して携帯端末装置に配信する方法であって、携帯端末装置が送信したページ特定情報を含むページ要求を受信する受信ステップと、ページ要求に含まれるページ特定情報と、広告表示タイミング情報を照合して、広告を挿入するタイミングか否かを判定するタイミング判定ステップと、挿入タイミングならば、広告コンテンツを含み前記ページ要求されたページ特定情報に対応するコンテンツファイルのＵＲＬにリダイレクトさせる記述またはコード、あるいは、同ＵＲＬへのハイパーリンクタグを含む広告ページを作成する広告ページ作成ステップと、挿入タイミングでない場合に、前記ページ要求されたページ特定情報に対応するコンテンツファイルを読み出すコンテンツファイル選択ステップと、広告ページ作成手段が作成した広告ページ、または、コンテンツファイル選択ステップで読み出された前記ページ要求されたページ特定情報に対応するコンテンツファイル、あるいは、直接ＵＲＬ指定されたコンテンツファイルを携帯端末装置に返信するページ返信ステップと、を含んだ手順でなされることを特徴とする携帯コンテンツに広告を挿入表示する方法である。